(57)【要約】      （修正有）【課題】基礎工事作業で、アースオーガによる中掘工法に使用するオーガヘッドは削孔径に合わせて単品で製作されている為、削孔径に応じてオーガヘッドを取替える必要がある。この場合１つのオーガヘッドで削孔径を簡単に変更出来る装置、構造に関するものである。【解決手段】削孔時に使用するオーガヘッドに基本ビットの他に４段階に拡大できる拡大ビットを製作、装着し、１つのオーガヘッドで簡単に削孔径を変更出来る。拡大ビット開（掘削）、閉（格納）はアースオーガの正転、逆転によって出来る様にする。以上によりいくつものオーガヘッドを準備することなく、１つのオーガヘッドで多様化出来る。【選択図】図４
2004270414.tif 000002
【特許請求の範囲】
【請求項１】
１個のオーガヘッドでオーガビットを脱着する事により削孔径を４段階に任意に且つ簡単に変更出来る構造とする。
【請求項２】
オーガビットアームは支持ピンにより取付けし、開閉式とする。
【請求項３】
ビットアームの開閉はアースオーガの回転（正転・逆転）によって行う。
【請求項４】
オーガヘッド軸に水噴射口を設け、水の噴射を行い、掘削土の付着を防止する。
【発明の詳細な説明】
【０００１】
【発明の属する技術分野】
基礎工事作業でアースオーガによる中掘工法に使用するオーガヘッドのビット部の外径を基本ビットの他に４段階に簡単に拡大出来る装置に関するものである。
【０００２】
【従来の技術】
従来のオーガヘッドは図２に示す様にオーガヘッド本体（Ａ）の先端部にオーガビット（Ｂ）が溶接、又はボルト締めで取付けられている。
このため、掘削する、削孔径も決ってくる。
この方法だと打設する鋼管の大きさによってオーガヘッドを都度交換する必要があり、交換に要する手間、工数もかかる。
又、鋼管の径に応じたオーガヘッドの準備が必要で経費も増大する。
何とか、１個のオーガヘッドで多様化出来る様に改善したいものである。
【０００３】
【発明が解決しようとする課題】
本発明は中掘工法（先行中掘）に使用するオーガヘッドを１個のオーダーヘッドを利用して削孔径を多様に、且つ、簡単に変えられ削孔力を増大させる構造とする。
【０００４】
【課題を解決しようとするための手段】
（１）１個のオーガヘッドで掘削する削孔径を多様に、簡単に変えられるものとする。
（２）削孔径はビットアームの長さによって変更する。
（３）ビットアームの取付（脱着）はピン１本にて行う。
（４）ビットの掘削、格納はオーガマシンの正転（掘削）、逆転（格納）にて行う。
（５）削孔時はオーガヘッド軸の水噴射口より水を噴射させ掘削土の付着を防止する。
（６）水噴射には数個所設ける。
【発明の実施形体】
図１、３、４、５により図面を追って実施形体を説明する。
（１）図１により、この装置は（Ｄ）リーダー、（Ａ）オーガマシン、（Ｂ）スクリュー、（Ｃ）オーガヘッドから成る。
（２）図１により（Ａ）のオーガマシンはクレーンウインチにて（Ｄ’）のリーダーパイプを介して吊られている。
（３）図１によりオーガスクリュー（Ｂ）は（Ｅ）の既製杭の中を通り、上部でオーガマシンと連結され、下部で（Ｃ）のオーガヘッドと連結セットされている。
（４）図１のオーガマシン（Ａ）はクレーン運転室より正転（掘削）、逆転（格納）の操作が出来る。
（５）図３は４段式拡大ビット付ヘッドを示したものです。１個のオーガヘッドに基本ビットの他に拡大ビットが（Ａ）（Ａ’）、（Ｂ）（Ｂ’）、（Ｃ）（Ｃ’）、（Ｄ）（Ｄ’）と４段階にそれぞれアームの長さが違うビットが、取付ピン（Ｅ）によって取付けられている。
（６）オーガマシンが正転（掘削）方向に回転すると図５に示す様にビットアーム（Ａ）（Ａ’）、（Ｂ）（Ｂ’）、（Ｃ）（Ｃ’）、（Ｄ）（Ｄ’）がビットアームの取付ピン（Ｅ）を支点として掘削土（岩盤）の抵抗で（開）の方向に開き掘削する。
（７）図４は４段式拡大ビットの拡大時を示したものである。拡大巾（４）で作業する時は基本ビットを初め（１）（２）（３）（４）の４段のビット全てを使い掘削する。
（８）鋼管杭の径によってビット巾も違ってくるが図４により削孔径を例えば拡大巾（２）で削孔する場合は、拡大ビット（３）（４）の段は取外して作業する。
（９）図４に示す様に削孔が始まると▲４▼の水噴射により、高圧の水を噴射させ土砂（岩盤）をかく乱し、やわらげると共にオーガヘッド、ビット部への土砂の付着を減少させて作業の能率を上げる。
（１０）削孔が完了すると図５に示す様にオーガマシンを逆転させることにより土砂、岩盤等の抵抗によりビットアームは（閉）方向に倒れ閉じる為、削孔巾も小さくなり既製杭▲５▼の中を通ってスクリュー及び拡大ビット付ヘッドを抜き取る事が出来る。
【０００５】
【発明の効果】
（１）１個のオーガヘッドで、掘削径を任意に変更出来る為、都度削口径に合ったオーガヘッドの準備が不要となり、経費も減少する。
（２）１個のオーガヘッドに長さの違うビットアームを４段階に装着しており又、ビットアームも取付ピン１本で取付いている為、脱着も簡単にでき、削孔径も容易に選択出来る。
（３）掘削する削孔径が大きくなるに従ってビットの数も増す為、削孔力が増大する。
（４）オーガヘッドの軸に水噴射口を設け削孔時は高圧の水を噴射させる為、削孔土をやわらげると共に削孔土の付着を減少させ効率が上がる。
【図面の簡単な説明】
【図１】アースオーガ装着図
【図２】従来のオーガヘッド図
【図３】４段式拡大ビット付ヘッド
【図４】４段式拡大ビット付ヘッド（拡大時）
【図５】４段式拡大ビット開、閉図
【図６】オーガ基本ビット取付図（側面図）
【図７】オーガ基本ビット取付図（平面図）
【図８】拡大ビット（Ａ）（Ａ’）取付図（側面図）
【図９】拡大ビット（Ａ）（Ａ’）取付図（平面図）
【図１０】（Ａ）（Ａ’）爪取付図（側面図）
【図１１】拡大ビット（Ｂ）（Ｂ’）〜（Ｄ）（Ｄ’）取付図（側面図）
【図１２】拡大ビット（Ｂ）（Ｂ’）〜（Ｄ）（Ｄ’）取付図（平面図）
【図１３】（Ｂ）（Ｂ’）〜（Ｄ）（Ｄ’）爪取付図
【図１４】拡大ビットアーム取付図
【図１５】水噴射ノズル取付図
【符号の説明】
［図１］より
（Ａ）オーガマシン
（Ｂ）スクリュー
（Ｃ）オーガヘッド
（Ｄ）リーダー
（Ｄ’）リーダーパイプ
（Ｅ）既製杭
（Ｆ）振り止め
［図２］より
（Ａ）オーガヘッド本体
（Ｂ）オーガビット
［図３］より
拡大ビット（Ａ）、（Ａ’）
拡大ビット（Ｂ）、（Ｂ’）
拡大ビット（Ｃ）、（Ｃ’）
拡大ビット（Ｄ）、（Ｄ’）
ビット取付ピン（Ｅ）
水噴射及びミルク吐出口（Ｆ）
［図４］より
拡大ビット（Ａ）、（Ａ’）
拡大ビット（Ｂ）、（Ｂ’）
拡大ビット（Ｃ）、（Ｃ’）
拡大ビット（Ｄ）、（Ｄ’）
▲１▼  拡大ビット付ヘッド
▲２▼  拡大ビット部
▲３▼  基本ビット部
▲４▼  噴射及びミルク吐出口
▲５▼  既製杭
拡大巾（１）
拡大巾（２）
拡大巾（３）
拡大巾（４）
［図５］より
ビットアーム（Ａ）、（Ａ’）
ビットアーム（Ｂ）、（Ｂ’）
ビットアーム（Ｃ）、（Ｃ’）
ビットアーム（Ｄ）、（Ｄ’）
【図１】
2004270414.tif 000003
【図２】
2004270414.tif 000004
【図３】
2004270414.tif 000005
【図４】
2004270414.tif 000006
【図５】
2004270414.tif 000007
【図６】
2004270414.tif 000008
【図７】
2004270414.tif 000009
【図８】
2004270414.tif 000010
【図９】
2004270414.tif 000011
【図１０】
2004270414.tif 000012
【図１１】
2004270414.tif 000013
【図１２】
2004270414.tif 000014
【図１３】
2004270414.tif 000015
【図１４】
2004270414.tif 000016
【図１５】
2004270414.tif 000017